(57)【要約】【課題】手術用糸を皮下に刺し通して所定部位の皮膚を緊縮させることによって皮膚の皺等の弛みを除去する手術を施すのにきわめて好適で、有益な手術用糸の皮下刺し通し用具を提供する。【解決手段】手術用糸５を挿通し得る両端開口の中空路２を有する所要長の直線状、湾曲状の細筒状体１をその全長に亘って同外径となすと共にその先端側を尖鋭に成形し、且つ、該細筒状体１の中空路２には、その基端側からほぼ同長の針状体３を抜き差し自在に嵌め入れ得るようになし、該細筒状体１自体を皮下に刺し通した後に前方向に刺し抜け皮膚外に刺し貫いて抜け出させ得るように構成した。【選択図】図１
0003118938.tif 000002
【実用新案登録請求の範囲】
【請求項１】
手術用糸５を挿通し得る両端開口の中空路２を有する所要長の直線状、湾曲状の細筒状体１をその全長に亘って同外径となすと共にその先端側を尖鋭に成形し、且つ、該細筒状体１の中空路２には、その基端側からほぼ同長の針状体３を抜き差し自在に嵌め入れ得るようになし、該細筒状体１自体を皮下に刺し通した後に前方向に刺し抜け皮膚外に刺し貫いて抜け出させ得るように構成したことを特徴とする手術用糸の皮下刺し通し用具。
【請求項２】
前記針状体３の基端に膨径のつまみ部４を固設してなる請求項１に記載の手術用糸の皮下刺し通し用具。
【考案の詳細な説明】
【技術分野】
【０００１】
本考案は、皮下において手術用糸を刺し通すのに好適な手術用糸の皮下刺し通し用具に関するものである。
【背景技術】
【０００２】
従来、手術用糸を皮下に刺し通して所定部位の皮膚を緊縮させることによって皮膚の皺等の弛みを除去する手術を施すに好適な手術用糸の皮下刺し通し用具が開発されていないことから、同手術の難易度を高めており、施術者にはきわめて煩わしい手間の要する作業を強いることとなっており、施術能率の悪いものであった。
【考案の開示】
【考案が解決しようとする課題】
【０００３】
本考案が解決しようとする課題は、如上の問題を解消する目的から、手術用糸を皮下に刺し通して所定部位の皮膚を緊縮させることによって皮膚の皺等の弛みを除去する手術を施すのにきわめて好適で、有益な手術用糸の皮下刺し通し用具を提供することである。
【課題を解決するための手段】
【０００４】
本考案は、手術用糸５を挿通し得る両端開口の中空路２を有する所要長の直線状、湾曲状の細筒状体１をその全長に亘って同外径となすと共にその先端側を尖鋭に成形し、且つ、該細筒状体１の中空路２には、その基端側からほぼ同長の針状体３を抜き差し自在に嵌め入れ得るようになし、該細筒状体１自体を皮下に刺し通した後に前方向に刺し抜け皮膚外に刺し貫いて抜け出させ得るように構成したことを最も主要な特徴とするものである。
【考案の効果】
【０００５】
本考案の手術用糸の皮下刺し通し用具は、一旦、中空路内に針状体を嵌め入れた状態で細筒状体を所定部位の皮下にその先端側から刺し通した後に、かかる状態下の細筒状体の中空路から針状体を外部に抜き出し、これにより開通する該細筒状体の中空路にその基端側から手術用糸を挿し通し、しかる後に、細筒状体をその先端側方向に刺し貫いて皮膚外に抜け出させることができ、これによって、手術用糸を皮下に刺し通すことができる。更に、その後かかる操作を順次に繰り返すことで、同一の手術用糸を用いての例えば折り返し、ジグザグ等の必要に応じた各種態様の皮下刺し通しを円滑、迅速に施術できる利点がある。
【考案を実施するための最良の形態】
【０００６】
本考案は、手術用糸を皮下に刺し通して所定部位の皮膚を緊縮させることによって皮膚の皺等の弛みを除去する美容整形等の手術を施すのに好適な手術用糸の皮下刺し通し用具を提供するという目的を、全長に亘って同外径となすと共にその先端側を尖鋭に成形した
手術用糸を挿通し得る両端開口の中空路を有する所要長の細筒状体と該細筒状体の中空路にその基端側から抜き差し自在に嵌め入れ得るほぼ同長の針状体との組み合わせによって簡便に実現し得たものである。
【実施例１】
【０００７】
図１は、本考案手術用糸の皮下刺し通し用具の実施例を示す細筒状体と針状体の分離状態の一部切欠側面図、図２は、本考案手術用糸の皮下刺し通し用具の実施例を示す細筒状体に針状体を嵌め入れた状態の側面図、図３は、本考案手術用糸の皮下刺し通し用具の使用例を示す説明図であり、１は細筒状体、２は中空路、３は針状体、４はつまみ部、５は手術用糸である。
【０００８】
細筒状体１は、手術用糸を挿し通し得る両端開口の中空路２を有するステンレス等の強度に優れた素材からなるものであって、その先端側は皮膚を刺し通し得るように尖鋭に成形されており、その長さ、直径寸法は、必要に応じて設定されるものであって限定されるものではないが、１０〜２０ｃｍ程度の長さが適当であり、また、該細筒状体１の全長に亘って同外径であって、その直径は１ｍｍ程度以下が好ましい。また、本実施例において直線状に成形されているが、必要に応じてその全体を湾曲状に成形することもできる。
【０００９】
上記の如くなる細筒状体１における両端開口の中空路２には、その基端側からほぼ同長の針状体３を抜き差し自在に嵌め入れ得るように構成している。該針状体３はステンレス等の強度に優れた素材からなるものであって、図２に示すように該針状体３を細筒状体１の中空路２に嵌め入れた状態下において、細筒状体１を補強し、該細筒状体１の皮膚への刺し込みを円滑に行い得るように構成している。
【００１０】
該針状体３の先端は、細筒状体１に嵌め入れた状態において該細筒状体１の尖鋭先端より後退位置にあることから、必ずしも尖鋭に成形することを要しないが、針状体３を細筒状体１に嵌め入れた状態下で斜め切断することにより両者を尖鋭に成形することができ、このように成形した場合、細筒状体１の中空路２に針状体３を嵌め入れた図２に示す状態において両者の先端が嵌合一体化して中空路２の先端に空隙を生じさせないと共に針状体３を細筒状体１の中空路２に嵌め入れる際に嵌め入れ易くなる利点がある。また、該針状体３の基端には膨径のつまみ部４を一体に固設して、該針状体３の取扱いを容易化することが好ましい。
【００１１】
次に、上記の如くなる本考案手術用糸の皮下刺し通し用具の一使用例を説明すると、図３において、皮膚上におけるＡ点から、針状体３を嵌め入れた図２に示す状態下で細筒状体１の尖鋭先端を皮下に刺し入れて、Ｂ点において該細筒状体１の尖鋭先端を皮膚外に刺し出し、これにより細筒状体１を、Ａ点とＢ点との間における皮下を刺し貫いた状態となす。
【００１２】
かかる状態下において、細筒状体１の中空路２から針状体３を抜き出し、Ａ点とＢ点との間に刺し貫いた細筒状体１における中空路２を開通させる。開通した細筒状体１の中空路２にその基端側から所要長の手術用糸５を挿し通す。該手術用糸５は、一般に外科用手術で使用する手術用糸を用いる場合の他、糸上に返しを有する等の特殊な手術用糸を用いる場合を包含するものである。
【００１３】
しかる後に、細筒状体１を先端側に押し出してＢ点から皮膚外に抜き出すと共に更に手術用糸５からも離脱させる。ここにおいて、手術用糸５のみをＡ点とＢ点との間の皮下に刺し通した状態となすことができる。
【００１４】
その上で、改めて細筒状体１の中空路２に針状体３を再度嵌め入れた状態となした上で、該細筒状体１の尖鋭先端をＢ点近傍のＢ’点から皮下に刺し入れ、Ｃ点から皮膚外に刺し出し、これにより細筒状体１を、Ｂ’点とＣ点との間における皮下を刺し貫いた状態となす。
【００１５】
かかる状態から前記したと同様の操作を繰り返す。即ち、Ｂ’点とＣ点との間で皮下を刺し貫いた状態の細筒状体１から針状体３を抜き出して中空路２を開通させ、開通した該中空路２に前記のＡ点とＢ点との間で既に皮下を刺し通された状態下にある手術用糸５の遊出側先端から挿し通し、その後、細筒状体１をＣ点から皮膚外に抜き出すと共に手術用糸５からも離脱させる。これによって、手術用糸５をＡ点とＢ点との間、及び、Ｂ’点とＣ点との間で順次に折り返し状に皮下を刺し通した状態となすことができる。
【００１６】
上記した手術用糸５の皮下刺し通しの操作を繰り返し行うことで、折り返し状の他ジグザグ状等各種形態に手術用糸５の皮下刺し通しを円滑に施術することができる。
【図面の簡単な説明】
【００１７】
【図１】本考案手術用糸の皮下刺し通し用具の実施例を示す細筒状体と針状体の分離状態の一部切欠側面図である。
【図２】本考案手術用糸の皮下刺し通し用具の実施例を示す細筒状体に針状体を嵌め入れた状態の側面図である。
【図３】本考案手術用糸の皮下刺し通し用具の使用例を示す説明図である。
【符号の説明】
【００１８】
１    細筒状体
２    中空路
３    針状体
４    つまみ部５
５    手術用糸
【図１】
0003118938.tif 000003
【図２】
0003118938.tif 000004
【図３】
0003118938.tif 000005